(57)【要約】【課題】本発明は極めて商品価値の高い画期的な梯子を提供することを目的とする。【解決手段】左右一対の縦材１間に複数の横材２が設けられた梯子であって、前記横材２のうち少なくとも最上段になる前記横材２は、一端が一方の前記縦材１に枢着され他端が他方の前記縦材１に着脱自在に連結されているものである。【選択図】図３
2010053671.tif 000002
【特許請求の範囲】
【請求項１】
左右一対の縦材間に複数の横材が設けられた梯子であって、前記横材のうち少なくとも最上段になる前記横材は、一端が一方の前記縦材に枢着され他端が他方の前記縦材に着脱自在に連結されていることを特徴とする梯子。
【請求項２】
請求項１記載の梯子において、前記一端が一方の前記縦材に枢着され他端が他方の前記縦材に着脱自在に連結されている横材は、前記縦材との連結を解除した際、擺動して前記縦材に沿設状態となるように構成されることを特徴とする梯子。
【請求項３】
請求項１,２記載いずれか１項に記載の梯子において、前記左右の縦材は伸縮可能に構成されることを特徴とする梯子。
【請求項４】
請求項１〜３いずれか１項に記載の梯子において、前記擺動する横材は一端に前記縦材と係止される係止体が設けられ、この係止体は他端が前記縦材に枢着される枢着体に突没自在に設けられていることを特徴とする梯子。
【請求項５】
請求項４記載の梯子において、前記係止体を係止する係止受部が前記縦材に設けられていることを特徴とする梯子。
【請求項６】
請求項１〜５いずれか１項に記載の梯子において、前記枢着体は筒状体であり、前記係止体はこの枢着体に嵌入されていることを特徴とする梯子。
【請求項７】
請求項６記載の梯子において、前記枢着体の外周部には案内係止孔が設けられ、この案内係止孔は、前記係止体の前記枢着体に対する突没を案内する案内孔部と、この案内孔部に連設され前記係止体の枢着体に対する突没状態を保持する保持孔部とで構成されていることを特徴とする梯子。
【請求項８】
請求項７記載の梯子において、前記案内係止孔内を移動する突体が前記係止体に設けられていることを特徴とする梯子。
【請求項９】
請求項８記載の梯子において、前記突体は、前記係止体に螺着される螺子であることを特徴とする梯子。
【請求項１０】
請求項１〜９いずれか１項に記載の梯子において、前記係止受部は前記係止体の先端部が嵌入係止される孔であることを特徴とする梯子。
【発明の詳細な説明】
【技術分野】
【０００１】
本発明は、例えば、屋根の昇り降りに用いる梯子に関するものである。
【背景技術】
【０００２】
例えば、屋根に掛けた梯子から屋根に乗り移る際、梯子の上段に来たら、脇に身体をずらし、片足ずつ移動して乗り移るのが一般的である。この移動の際には、高所で身体を梯子から離し、しかも身体が梯子の外側を移動することになるので、常に不安定感を感じ、実際危険である。
【０００３】
このような不安定さを取り除くものとして、梯子に案内棒を設けることが特開２０００−５４７６８号公報で提案されている（以下、従来例）。
【０００４】
この従来例は、伸縮可能な梯子の先端部に逆Ｌ字型案内棒を付設するように構成されており、この梯子は、この案内棒が屋根の軒から上方へ突出するように調整して屋根に立てかける。従って、この梯子の場合は梯子から屋根に移る場合、この案内棒の間を通るため、上記のような不安定感は感じなく、また危険性もない。
【０００５】
【特許文献１】特開２０００−５４７６８号公報
【発明の開示】
【発明が解決しようとする課題】
【０００６】
しかし、この従来例では、梯子に案内棒を設けたりしなければならず、この梯子の設置には手間がかかり、扱いが厄介である。
【０００７】
本発明は、上記問題に鑑みてなされた発明であり、簡易な操作により安全性が高い梯子を実現し得るものである。
【課題を解決するための手段】
【０００８】
添付図面を参照して本発明の要旨を説明する。
【０００９】
左右一対の縦材１間に複数の横材２が設けられた梯子であって、前記横材２のうち少なくとも最上段になる前記横材２は、一端が一方の前記縦材１に枢着され他端が他方の前記縦材１に着脱自在に連結されていることを特徴とする梯子に係るものである。
【００１０】
また、請求項１記載の梯子において、前記一端が一方の前記縦材１に枢着され他端が他方の前記縦材１に着脱自在に連結されている横材２は、前記縦材１との連結を解除した際、擺動して前記縦材１に沿設状態となるように構成されることを特徴とする梯子に係るものである。
【００１１】
また、請求項１,２記載いずれか１項に記載の梯子において、前記左右の縦材１は伸縮可能に構成されることを特徴とする梯子に係るものである。
【００１２】
また、請求項１〜３いずれか１項に記載の梯子において、前記擺動する横材２は一端に前記縦材１と係止される係止体６が設けられ、この係止体６は他端が前記縦材１に枢着される枢着体７に突没自在に設けられていることを特徴とする梯子に係るものである。
【００１３】
また、請求項４記載の梯子において、前記係止体６を係止する係止受部８が前記縦材１に設けられていることを特徴とする梯子に係るものである。
【００１４】
また、請求項１〜５いずれか１項に記載の梯子において、前記枢着体７は筒状体であり、前記係止体６はこの枢着体７に嵌入されていることを特徴とする梯子に係るものである。
【００１５】
また、請求項６記載の梯子において、前記枢着体７の外周部には案内係止孔９が設けられ、この案内係止孔９は、前記係止体６の前記枢着体７に対する突没を案内する案内孔部12と、この案内孔部12に連設され前記係止体６の枢着体７に対する突没状態を保持する保持孔部13とで構成されていることを特徴とする梯子に係るものである。
【００１６】
また、請求項７記載の梯子において、前記案内係止孔９内を移動する突体10が前記係止体６に設けられていることを特徴とする梯子に係るものである。
【００１７】
また、請求項８記載の梯子において、前記突体10は、前記係止体６に螺着される螺子であることを特徴とする梯子に係るものである。
【００１８】
また、請求項１〜９いずれか１項に記載の梯子において、前記係止受部８は前記係止体６の先端部が嵌入係止される孔であることを特徴とする梯子に係るものである。
【発明の効果】
【００１９】
本発明は上述のように構成したから、梯子の少なくとも最上段になる横材を離脱させると、人が通ることができる空間部分ができ、しかも、該部分の縦材に掴まって安全にこの縦材間を通過でき、よって、安全に屋根に移ることができる。即ち、少なくとも最上段になる横材の着脱を行うだけで、梯子の間を通る空間を作ることができ、従って、安全に屋根に移ることができ、しかも取り扱い易い梯子となる。
【発明を実施するための最良の形態】
【００２０】
好適と考える本発明の実施形態を、図面に基づいて本発明の作用を示して簡単に説明する。
【００２１】
本発明は、左右一対の縦材１間に複数の横材２が設けられた梯子で、前記横材２のうち少なくとも最上段になる該横材２の一端を前記縦材１の一方から離脱させると、この横材２は枢着部を支点にして縦材１側に倒れ、人が通る空間ができる。
【００２２】
このように屋根上に移る際に梯子の縦材１の間を通ることができるから、梯子の外側に身体をずらして移動するという不安定な行為をしなくても済み、極めて安全に梯子から屋根上に移ることができる。また、横材２の着脱を行うだけで、縦材の間を通る空間を作ることができるから、扱いも厄介ではない。
【実施例】
【００２３】
本発明の具体的な実施例について図面に基づいて説明する。
【００２４】
本実施例は、例えば、屋根の昇り降りに用いる梯子14である。
【００２５】
以下具体的に説明する。
【００２６】
本実施例による梯子14は、図１に示すように左右一対設けられた長尺の縦材１の間に短尺の横材２が複数設けられた梯子であって、最上部側の二段の横材２が擺動し得るように、該横材２の一端が前記縦材１の一方に蝶着部11によって蝶着され、前記横材２の他端が前記縦材１の他方に着脱自在に連結され、他の横材２は前記縦材１に溶接によって固定されている梯子である。
【００２７】
尚、本実施例で用いた材質はアルミであるが、他の材質でもよい。
【００２８】
具体的には、図２乃至３に示すように、梯子14の最上部側に設けた前記横材２は、係止体６と筒状の枢着体７とから構成され、前記係止体６は前記枢着体７内に嵌入されており、枢着体７に対して係止体６は突没自在に構成されている。
【００２９】
更に、前記枢着体７の他端は、前記縦材１に蝶着部11によって蝶着されている。
【００３０】
また、図４〜６に示すように、前記係止体６の一端は前記縦材１に係止受部８として設けられた孔に嵌入された際に、横材２が縦材１に係止され得るように構成されている。
【００３１】
また、図２〜６に示すように、前記枢着体７の外周部には、係止体６に設けた突体10が移動して係止体６の突没を案内する直線状の案内孔部12が設けられている。この案内孔部12には前記係止体６の突没状態を保持するＬ字形状の保持孔部13が連設され、この保持孔部13と前記案内孔部12とで案内係止孔９が構成される。
【００３２】
また、前記突体10は係止体６に螺着される螺子である。
【００３３】
従って、図２に示す状態から、突体10を保持孔部13から案内孔部12へ移動させ、突体10を案内孔部12内において移動させて係止体６を係止受部８から抜くと、横材２は図３に図示したように縦材１に沿設状態となる。
【００３４】
従って、この結果生ずる縦材１間の空間部分を出入りに使えることになり、図１に示すように、この梯子の上段部の左右縦材１の間を人が通ることになる。
【００３５】
逆に、横材２を起こし、突体10をスライドさせ係止体６を係止受部８に嵌入し、突体10を保持孔部13に位置させると横材２は固定される。
【００３６】
また、図７は、所謂、外梯子16に内梯子15を収容した二段スライド式の梯子14の一例であって、内梯子15に本実施例に係る横材２を用いた例である。この場合、内梯子15の上段の二段の横材２を外し、三段目の横材２が屋根の軒よりわずかに下になるようにスライドを調整して使用する。
【００３７】
本実施例は上述のように構成したから、横材２の着脱という簡単な操作により横材２が縦材１に沿設状態となり、人が通ることができる空間部分が作られることになる。しかも、該部分の縦材１部分を手すりとして使うことができるようになるから、この手すりに掴まって安全に身体を縦材１間を通過させることができ、よって、屋根上への移動を安全に行うことができ、更に、梯子の重量が著しく重くないから取り扱い易く、更に、特別な構造を有しないので汎用的に使える梯子を提供できることになる。
【００３８】
尚、本発明は、本実施例に限られるものではなく、各構成要件の具体的構成は適宜設計し得るものである。
【図面の簡単な説明】
【００３９】
【図１】本実施例の使用状態説明図である。
【図２】本実施例に係る上段部横材を縦材に架設した状態の説明図である。
【図３】本実施例に係る上段部横材を擺動させた状態の説明図である。
【図４】本実施例に係る要部の動作説明図である。
【図５】本実施例に係る要部の動作説明図である。
【図６】本実施例に係る要部の動作説明図である。
【図７】別実施例に係る梯子の使用状態説明図である。
【符号の説明】
【００４０】
１  縦材
２  横材
６  係止体
７  枢着体
８  係止受部
９  案内係止孔
10  突体
12  案内孔部
13  保持孔部
【図１】
2010053671.tif 000003
【図２】
2010053671.tif 000004
【図３】
2010053671.tif 000005
【図４】
2010053671.tif 000006
【図５】
2010053671.tif 000007
【図６】
2010053671.tif 000008
【図７】
2010053671.tif 000009